(57)【要約】【課題】より小さい空間を占有し、且つ２つのチップカードを同時に収容できるチップカードの固定保持構造及びこれを備えた電子装置を提供すること。【解決手段】本発明に係るチップカードの固定保持構造は、第一係止端及び第二係止端を含むトレーと、トレーにスライド可能に装着される第一当止部及び第二当止部と、を備える。また、前記トレーの両側には止め板がそれぞれ設けられ、第二当止部の一方側の表面には階段部が設けられ、第一当止部が第一係止端に当止され、且つ第二当止部が第二係止端に当止される際、第一当止部、第二当止部及び２つの止め板は、互いに協働して２つのチップカードをトレーの中に位置決めして保持し、また、第一当止部及び第二当止部がスライドされて止め板の両側にそれぞれ当接される際、階段部、第一当止部、第二当止部、第一係止端及び第二係止端は、１つのチップカードをトレーの中に位置決めして保持する。【選択図】図１
2014041609.tif 000002
【特許請求の範囲】
【請求項１】
互いに反対側に位置して装着される第一係止端及び第二係止端を含むトレーと、第一当止部と、第二当止部と、を備えるチップカードの固定保持構造であって、
前記トレーの両側には止め板がそれぞれ設けられ、前記第一当止部及び前記第二当止部は、前記トレーにスライド可能に装着され、前記第二当止部の一方側の表面には、階段部が設けられ、
前記第一当止部が前記トレーの前記第一係止端に当止され、且つ前記第二当止部が前記トレーの前記第二係止端に当止される際、前記第一当止部、前記第二当止部及び２つの前記止め板は、互いに協働して２つのチップカードを前記トレーの中に位置決めして保持し、
また、前記第一当止部及び前記第二当止部がスライドされて前記止め板の両側にそれぞれ当接される際、前記階段部、前記第一当止部、前記第二当止部、前記第一係止端及び前記第二係止端は、１つのチップカードを前記トレーの中に位置決めして保持する
ことを特徴とするチップカードの固定保持構造。
【請求項２】
前記トレーは主体板をさらに備え、２つの前記止め板は、前記主体板の一方側の表面における互いに平行な２つの側辺に垂直となるように設けられ、前記主体板の他方側の表面における各止め板の両側にはスライドレールがそれぞれ設けられ、
前記第一当止部は第一当止板を備え、前記第二当止部は第二当止板を備え、前記第一当止板の両端には、かぎ状に湾曲された第一スライド部がそれぞれ設けられ、前記第二当止板の両端には、かぎ状に湾曲された第二スライド部がそれぞれ設けられ、各第一スライド部及び各第二スライド部は、前記スライドレール内にスライド可能に装着され、前記第一当止板及び前記第二当止板は、前記止め板の両側にそれぞれ位置する
ことを特徴とする請求項１に記載のチップカードの固定保持構造。
【請求項３】
前記主体板は、チップカードを収容するための収容部と、前記主体板の両端にそれぞれ設けられた第一係止端及び第二係止端と、をさらに備え、前記第一当止板は前記第一係止端に当止され、前記第二当止板は前記第二係止端に当止され、前記収容部、２つの前記止め板、前記第一当止板及び前記第二当止板は、前記２つのチップカードを前記収容部の中に装着するための固定保持構造を形成し、
前記２つのチップカードが前記トレーに装着された後、そのうちの１つのチップカードの一端は前記第一当止板の側面に当接され、他端は前記第二当止板により押圧される
ことを特徴とする請求項２に記載のチップカードの固定保持構造。
【請求項４】
前記階段部は、前記第二当止板の２つの前記第二スライド部の間の表面に突設され、且つ前記第二当止板の長手方向に沿って延在する
ことを特徴とする請求項２または３に記載のチップカードの固定保持構造。
【請求項５】
前記主体板の側面における前記第一係止端の両端には、第一斜面がそれぞれ形成され、前記主体板の側面における前記第二係止端の両端には、第二斜面がそれぞれ形成され、
各第一スライド部の片側には、前記第一斜面と当接される第一当接面が設けられ、各第二スライド部の片側には、前記第二斜面と当接される第二当接面が設けられている
ことを特徴とする請求項３に記載のチップカードの固定保持構造。
【請求項６】
内部に互いに間隔をあけて対向して設けられた第一電気コネクタ及び第二電気コネクタを有する本体と、２つのチップカードを同時に収容可能なトレーを有する請求項１から５のいずれか一項に記載のチップカードの固定保持構造と、を備える電子装置であって、
前記トレーは、前記第一電気コネクタと前記第二電気コネクタとの間に装着され、前記２つのチップカードは、前記第一電気コネクタと前記第二電気コネクタとにそれぞれ電気的に接続される
ことを特徴とする電子装置。
【請求項７】
前記本体の一方側の端壁には入口が設けられ、前記本体の内部には互いに対向し、且つ所定の間隔をあけて第一回路基板及び第二回路基板が装着され、
前記第一電気コネクタ及び前記第二電気コネクタは、前記第一回路基板及び前記第二回路基板にそれぞれ設けられ、前記トレーは、前記入口を介して前記第一電気コネクタと前記第二電気コネクタとの間に挿入される
ことを特徴とする請求項６に記載の電子装置。
【発明の詳細な説明】
【技術分野】
【０００１】
本発明は、チップカードの固定保持構造に関し、特に電子装置に用いられるチップカードの固定保持構造に関するものである。
【背景技術】
【０００２】
携帯電話機、タブレットＰＣ等の電子装置の多機能化が進むにつれ、電子装置に装着される記憶チップの種類も益々多くなっている。例としては、ＳＤカード、ＣＦカード、メモリーカード、ＳＩＭカード等が挙げられる。
【０００３】
最近、殆んどの携帯電話機は２つのチップカードを備えている。この２つのチップカードのスロットは、一般的に携帯電話機の回路基板の表面に並列に装着されている或いは重なって装着されている。しかし、これらチップカードの固定保持構造は、ユーザーの使用に不便であり、且つ携帯電話機の内部空間を大きく占有するため携帯電話機の小型化に不利である。
【発明の概要】
【発明が解決しようとする課題】
【０００４】
そこで、本発明は以上の問題点に鑑みてなされたものであり、より小さい空間を占有し、且つ２つのチップカードを同時に収容できるチップカードの固定保持構造及びこれを備えた電子装置を提供することを目的とする。
【課題を解決するための手段】
【０００５】
上記の課題を解決するために、本発明に係るチップカードの固定保持構造は、互いに反対側に位置して形成される第一係止端及び第二係止端を含むトレーと、第一当止部と、第二当止部と、を備える。前記トレーの両側には止め板がそれぞれ設けられ、前記第一当止部及び前記第二当止部は、前記トレーにスライド可能に装着され、前記第二当止部の一方側の表面には階段部が設けられ、前記第一当止部が前記トレーの前記第一係止端に当止され、且つ前記第二当止部が前記トレーの前記第二係止端に当止される際に、前記第一当止部、前記第二当止部及び２つの前記止め板は、互いに協働して２つのチップカードを前記トレーの中に位置決めして保持し、また、前記第一当止部及び前記第二当止部がスライドされて前記止め板の両側にそれぞれ当接される際に、前記階段部、前記第一当止部、前記第二当止部、前記第一係止端及び前記第二係止端は、１つのチップカードを前記トレーの中に位置決めして保持する。
【０００６】
また、上記の課題を解決するために、本発明に係る電子装置は、内部に互いに間隔をあけて対向して設けられた第一電気コネクタ及び第二電気コネクタを有する本体と、２つのチップカードを同時に収容できるトレーを有するチップカードの固定保持構造と、を備える。前記トレーは、前記第一電気コネクタと前記第二電気コネクタとの間に装着され、前記トレーの両側には止め板がそれぞれ設けられ、前記トレーの両端には、第一係止端及び第二係止端がそれぞれ設けられ、前記チップカードの固定保持構造は、前記トレーにそれぞれスライド可能に装着される第一当止部と第二当止部とをさらに備え、前記第二当止部の一方側の表面には階段部が設けられ、前記第一当止部が前記トレーの前記第一係止端に当止され、且つ前記第二当止部が前記トレーの前記第二係止端に当止される際、前記第一当止部、前記第二当止部及び２つの前記止め板は、互いに協働して２つのチップカードを前記トレーの中に位置決めして保持し、前記２つのチップカードは、前記第一電気コネクタと前記第二電気コネクタとにそれぞれ電気的に接続され、また、前記第一当止部及び前記第二当止部がスライドされて前記止め板の両側にそれぞれ当接される際に、前記階段部、前記第一当止部、前記第二当止部、前記第一係止端及び前記第二係止端は、１つのチップカードを前記トレーの中に位置決めして保持する。
【発明の効果】
【０００７】
従来の技術とは異なり、本発明に係るチップカードの固定保持構造は、構造が簡単であり、且つトレーを交換せずに、１つ或いは２つのチップカードを収容できるだけでなく、電子装置の内部において占有する空間が小さいため、電子装置の薄型化及び小型化を促進できる。
【図面の簡単な説明】
【０００８】
【図１】本発明の実施形態に係るチップカードの固定保持構造とチップカードとの分解図である。
【図２】図１に示したチップカードの固定保持構造を別の視点から見た分解図である。
【図３】本発明のチップカードの固定保持構造に第一チップカード及び第二チップカードを装着した状態を示す図である。
【図４】図１に示したチップカードの固定保持構造に第一チップカードのみを装着した状態を示す図である。
【図５】図３に示したチップカードの固定保持構造のＶ−Ｖ線に沿った断面図である。
【図６】図４に示したチップカードの固定保持構造のＶＩ−ＶＩ線に沿った断面図である。
【図７】図３に示したチップカードの固定保持構造が電子装置に装着されている状態を示す図である。
【図８】図７に示したチップカードの固定保持構造を装着した電子装置のＶＩＩＩ−ＶＩＩＩ線に沿った断面図である。
【発明を実施するための形態】
【０００９】
本発明に係るチップカードの固定保持構造は、携帯電話機等の電子装置に用いられ、且つ２つのチップカードを同時に収容することができる。本実施形態において、前記２つのチップカードは、それぞれ第一チップカード５０及び第二チップカード６０である。
【００１０】
図１及び図２に示すように、前記チップカードの固定保持構造は、トレー１０と、第一当止部２０と、第二当止部２５と、を備える。第一チップカード５０及び第二チップカード６０は、トレー１０の中にそれぞれ装着される。第一当止部２０及び第二当止部２５は、トレー１０にそれぞれスライド可能に装着される。第一当止部２０及び第二当止部２５を、前記トレー１０の長手方向両端にそれぞれ当止させることで、第一チップカード５０及び第二チップカード６０をトレー１０の中に同時に装着することができる。または、第一当止部２０及び第二当止部２５を互いに対して同時にスライドさせることで、第一チップカード５０或いは第二チップカード６０のうちの１つをトレー１０の中に装着することができる。
【００１１】
トレー１０は略矩形を呈し、主体板１１と、第一係止端１３と、第二係止端１４と、２つのストッパー部１６と、を備える。主体板１１は、上面１１１と、下面１１２と、収容部１２と、を備える。
【００１２】
収容部１２は、主体板１１に凹設され、且つその形状は第一チップカード５０或いは第二チップカード６０の形状と一致している。主体板１１における長手方向両端には、上記の第一係止端１３及び第二係止端１４がそれぞれ形成されている。収容部１２の底壁には、トレー１０の上面１１１及び下面１１２を貫通する開口１２１が設けられている。第一チップカード５０及び第二チップカード６０が収容部１２に対応して装着されると、第一チップカード５０及び第二チップカード６０の導電端子（図示せず）は開口１２１を介して露出する。第二係止端１４は、主体板１１の上面１１１の一端から上面１１１に対して垂直に突出するフランジ１４２を備える。主体板１１の側面における第一係止端１３の互いに反対側に位置する両端には、第一斜面１３１がそれぞれ形成されている。また、主体板１１の側面における第二係止端１４の互いに反対側に位置する両端には、第二斜面１４１がそれぞれ形成されている。第一斜面１３１及び第二斜面１４１は、互いに向き合って形成されている。
【００１３】
２つのストッパー部１６は、主体板１１の互いに平行な２つの側辺にそれぞれ設置され、且つ止め板１６１をそれぞれ備える。この止め板１６１は、主体板１１の互いに平行な２つの側辺に垂直になるように、各側辺の中央に設けられ、且つ収容部１２の長手方向に沿って両側に位置する。各止め板１６１の長手方向に沿う一方の側辺には、収容部１２の中央部に向かって延伸する突片１６２がそれぞれ形成されている。第一チップカード５０及び第二チップカード６０は、止め板１６１及び第二当止部２５により収容部１２内に装着される。突片１６２は、収容部１２の上方に位置するため、第一チップカード５０及び第二チップカード６０の脱落、移動等を防止する。主体板１１の下面１１２におけるストッパー部１６の両側には、第一当止部２０及び第二当止部２５を装着するためのスライドレール１７がそれぞれ設けられている。
【００１４】
図２及び図３に示すように、第一当止部２０は、第一当止板２１及び２つの第一スライド部２２を備える。第一当止板２１は細長い形状の板体であり、その長さはトレー１０の主体板１１の幅（つまり短辺）に一致している。２つの第一スライド部２２は、第一当止板２１の長手方向両端にそれぞれ設けられ、且つ一定の弾性を有する。各第一スライド部２２の自由端はかぎ状に湾曲されているため（図２を参照）、各第一スライド部２２の内側には係合空間２３が形成されている。また、各第一スライド部２２の片側には、第一係止端１３の第一斜面１３１と当接される第一当接面２２１がそれぞれ設けられている。
【００１５】
第一当止部２０が第一係止端１３に装着されると、各第一スライド部２２の第一当接面２２１は第一斜面１３１に当接され、主体板１１の側面は係合空間２３の内部に収容され、各第一スライド部２２の自由端は、主体板１１の下面１１２のスライドレール１７内にスライド可能にセットされる。
【００１６】
第二当止部２５は、第二当止板２５１と、階段部２５２と、第二スライド部２５３と、を備える。第二当止板２５１の長さはトレー１０の主体板１１の幅に一致している。２つの第二スライド部２５３は、第二当止板２５１の長手方向両端にそれぞれ設けられている。各第二スライド部２５３の自由端はかぎ状に湾曲されているため、各第二スライド部２５３の内側には、係合空間２５５が形成される。また、各第二スライド部２５３の片側には、第二係止端１４の第二斜面１４１と当接される第二当接面２５４がそれぞれ設けられている。階段部２５２は、第二当止板２５１の２つの第二スライド部２５３の間の表面に突設され、且つ第二当止板２５１の長手方向に沿って延在する。
【００１７】
第二当止部２５が第二係止端１４に装着されると、２つの第二スライド部２５３は、その湾曲された自由端を介して、トレー１０のスライドレール１７内にスライド可能に装着される。またこの時、２つの第二スライド部２５３は、第一当止部２０の第一スライド部２２に対してストッパー部１６の他方側に位置し、階段部２５２は、第二係止端１４のフランジ１４２に当止される。本実施形態において、第一当止板２１、第二当止板２５１、２つの止め板１６１及び収容部１２によって、２つのチップカード５０、６０を収容部１２の中に安定して装着するための固定保持構造が形成される。
【００１８】
図３に示すように、第一チップカード５０及び第二チップカード６０を本発明のチップカードの固定保持構造に装着する場合、先ず、上述したように、第一当止部２０及び第二当止部２５を、トレー１０の第一係止端１３及び第二係止端１４に対応させてそれぞれ装着する。次に、第一チップカード５０を第二当止部２５とストッパー部１６との間から収容部１２内に挿入した後、第二チップカード６０を、第一チップカード５０に重ねるように２つの止め板１６１の間に挿入する。この時、図３に示すように、第二チップカード６０の一端は第一当止板２１の側面に当止され、第二チップカード６０の他端は階段部２５２の側面２５６に当止される。また、第二チップカード６０における長手方向の両側及び第一当止板２１から遠い一端（短手方向の一側）は、２つの突片１６２及び第二当止板２５１により押圧されて、第二チップカード６０は第一チップカード５０の上方に保持される。 
【００１９】
図４及び図６に示すように、チップカードを１つのみ使用する場合、第一チップカード５０（或いは第二チップカード６０）を、トレー１０の収容部１２内に挿入した後、第一当止板２１を推進して、第一当止板２１をスライドレール１７に沿ってストッパー部１６までスライドさせると共に、第二当止板２５１を推進して、第二当止板２５１をスライドレール１７に沿ってストッパー部１６までスライドさせる。この時、第一当止部２０及び第二当止部２５は、第一スライド部２２、第二スライド部２５３と主体板１１との間の摩擦力により、ストッパー部１６の両側にそれぞれ位置決めされる。またこの時、収容部１２内に収容されたチップカードは、第一当止板２１及び第二当止板２５１の階段部２５２により止められるので、トレー１０の収容部１２から脱落することはない。
【００２０】
図７及び図８に示すように、本発明のチップカードの固定保持構造は、電子装置の内部に装着して使用される。前記電子装置は本体４０を備える。本体４０の一方側の端壁には、入口４１が設けられている。本体４０の内部には、第一回路基板４２及び第二回路基板４３が装着されている。第一回路基板４２には第一電気コネクタ４２１が設けられており、第二回路基板４３には第二電気コネクタ４３１が設けられている。第一電気コネクタ４２１と第二電気コネクタ４３１とは互いに対向して間隔をあけて設けられている。
【００２１】
第一チップカード５０及び第二チップカード６０が装着されたトレー１０は、入口４１を介して第一電気コネクタ４２１と第二電気コネクタ４３１との間に挿入され、且つ係止構造（図示せず）を介して固定される。トレー１０が電子装置の内部に固定された後、フランジ１４２は電子装置の入口４１を密閉し、第一チップカード５０及び第二チップカード６０は、第一電気コネクタ４２１及び第二電気コネクタ４３１にそれぞれ電気的に接続される。
【００２２】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００２３】
１０      トレー
１１      主体板
１１１    上面
１１２    下面
１２      収容部
１２１    開口
１３      第一係止端
１３１    第一斜面
１４      第二係止端
１４１    第二斜面
１４２    フランジ
１６      ストッパー部
１６１    止め板
１６２    突片
１７      スライドレール
２０      第一当止部
２１      第一当止板
２２      第一スライド部
２２１    第一当接面
２３、２５５      係合空間
２５      第二当止部
２５１    第二当止板
２５２    階段部
２５３    第二スライド部
２５４    第二当接面
２５６    側面
４０      本体
４１      入口
４２      第一回路基板
４２１    第一電気コネクタ
４３      第二回路基板
４３１    第二電気コネクタ
５０      第一チップカード
６０      第二チップカード
【図１】
2014041609.tif 000003
【図２】
2014041609.tif 000004
【図３】
2014041609.tif 000005
【図４】
2014041609.tif 000006
【図５】
2014041609.tif 000007
【図６】
2014041609.tif 000008
【図７】
2014041609.tif 000009
【図８】
2014041609.tif 000010